(57)【要約】【課題】ユーザが容易に入手することが可能な特売食材品を用いたレシピ情報を自動的に検索して提供する。【解決手段】ネットワークサービスプラットフォーム１は、特売食材品を扱う店舗８ａ、８ｂの情報を商品情報管理サーバ７から取得するとともに、特売食材品を使用した料理のレシピ情報をレシピ作成情報提供サーバ１５から取得し、特売食材品を扱う店舗８ａ、８ｂの情報とともに特売食材品を使用した料理のレシピ情報をユーザ端末１９に通知する。【選択図】      図１
2009087036.tif 000002
【特許請求の範囲】
【請求項１】
所定の地域エリアの店舗で扱われている特売食材品の情報を取得する特売食材品情報取得手段と、
前記特売食材品を使用した料理のレシピ情報を取得するレシピ情報取得手段と、
前記特売食材品を扱う店舗の情報とともに前記特売食材品を使用した料理のレシピ情報を通知するレシピ情報通知手段とを備えることを特徴とするレシピ情報提供装置。
【請求項２】
ネットワークを介して通信を行うユーザ端末と、
所定の地域エリアの店舗で扱われている特売食材品の情報を管理する商品情報管理サーバと、
食材品が組み合わされた料理のレシピ情報を提供するレシピ作成情報提供サーバと、
前記特売食材品を扱う店舗の情報を前記商品情報管理サーバから取得するとともに、前記特売食材品を使用した料理のレシピ情報を前記レシピ作成情報提供サーバから取得し、前記特売食材品を扱う店舗の情報とともに前記特売食材品を使用した料理のレシピ情報を前記ユーザ端末に通知するネットワークサービスプラットフォームとを備えることを特徴とするレシピ情報提供システム。
【請求項３】
ネットワークを介して通信を行うユーザ端末と、
所定の地域エリアの店舗で扱われている特売食材品の情報を管理する商品情報管理サーバと、
食材品が組み合わされた料理のレシピ情報を提供するレシピ作成情報提供サーバと、
レシピ情報提供要求および前記レシピ情報の通知日時が登録されたカレンダーサーバと、
前記カレンダーサーバに登録された前記レシピ情報提供要求に対する通知日時になると、前記特売食材品を扱う店舗の情報を前記商品情報管理サーバから取得するとともに、前記特売食材品を使用した料理のレシピ情報を前記レシピ作成情報提供サーバから取得し、前記特売食材品を扱う店舗の情報とともに前記特売食材品を使用した料理のレシピ情報を前記ユーザ端末に通知するネットワークサービスプラットフォームとを備えることを特徴とするレシピ情報提供システム。
【請求項４】
前記ネットワークサービスプラットフォームは、
前記レシピ情報の提供に関するサービスシナリオを格納するサービスシナリオ記憶部と、
前記レシピ情報の提供に関するサービスコンポーネントを格納するサービスコンポーネント記憶部と、
レシピ情報提供要求に関するプレゼンス情報を検知するプレゼンス検知サーバと、
前記プレゼンス情報に検知に基づいて、前記サービスシナリオ記憶部に格納されているサービスシナリオを実行するとともに、前記サービスシナリオに組み込まれているサービスコンポーネントを前記サービスコンポーネント記憶部から検索するサービス合成部と、
前記サービス合成部にて検索されたサービスコンポーネントの出力データを呼び出し先で処理可能な形式に変換するデータ変換サーバとを備えることを特徴とする請求項２または３記載のレシピ情報提供システム。
【請求項５】
前記サービスコンポーネントは、
前記特売食材品の情報の提供サービスに関するサービスコンポーネントと、
前記レシピ情報の提供サービスに関するサービスコンポーネントと、
前記プレゼンス情報の検知に関するサービスコンポーネントと、
電話サービスに関するサービスコンポーネントと、
Ｗｅｂカレンダーの取得サービスに関するサービスコンポーネントと、
前記Ｗｅｂカレンダー上でのカレンダーリマインダに関するサービスコンポーネントとを含むことを特徴とする請求項４記載のレシピ情報提供システム。
【請求項６】
前記商品情報管理サーバは、前記地域エリアの複数の店舗の情報と、各店舗で扱われている特売商品の価格情報と、前記特売商品の商品名と、前記特売商品の生産地名とを管理し、特売食材品の価格情報と前記特売食材品を扱っている店舗を特定する情報とを前記データ変換サーバに通知することを特徴とする請求項４記載のレシピ情報提供システム。
【請求項７】
前記レシピ作成情報提供サーバは、前記特売食材品の情報を受信し、前記特売食材品を使用した料理のレシピ情報を取得し、前記料理の作成に関する方法を示したレシピ情報を前記データ変換サーバに通知することを特徴とする請求項４記載のレシピ情報提供システム。
【請求項８】
特売食材品を扱う店舗の情報をネットワークサービスプラットフォーム上で商品情報管理サーバから取得するステップと、
前記特売食材品を使用した料理のレシピ情報をネットワークサービスプラットフォーム上でレシピ作成情報提供サーバから取得するステップと、
前記特売食材品を扱う店舗の情報とともに前記特売食材品を使用した料理のレシピ情報を前記ネットワークサービスプラットフォームからユーザ端末に通知するステップとを備えることを特徴とするレシピ情報提供方法。
【請求項９】
レシピ情報提供要求およびレシピ情報の通知日時をカレンダーサーバに登録するステップと、
前記カレンダーサーバに登録された通知日時になると、特売食材品を扱う店舗の情報をネットワークサービスプラットフォーム上で商品情報管理サーバから取得するステップと、
前記特売食材品を使用した料理のレシピ情報をネットワークサービスプラットフォーム上でレシピ作成情報提供サーバから取得するステップと、
前記特売食材品を扱う店舗の情報とともに前記特売食材品を使用した料理のレシピ情報を前記ネットワークサービスプラットフォームからユーザ端末に通知するステップとを備えることを特徴とするレシピ情報提供方法。
【請求項１０】
請求項８または９のレシピ情報提供方法をコンピュータに実行させることを特徴とするレシピ情報提供プログラム。
【発明の詳細な説明】
【技術分野】
【０００１】
本発明はレシピ情報提供装置、レシピ情報提供システム、レシピ情報提供方法およびレシピ情報提供プログラムに関し、特に、ユーザ宅の近くの店舗で販売されている安値の特売食材を利用したレシピ情報を提供する方法に適用して好適なものである。
【背景技術】
【０００２】
近年のインターネットの普及に伴って、テレビ番組で放送された料理のレシピを情報端末や携帯電話にて検索し、画像を含めたレシピ情報を容易に入手できるようになっている。また、好みの料理に組み込まれた食材を選択し、その食材を使った複数のレシピ情報をインターネットを利用して入手できるようになっている。あるいは、スーパーマーケットや小売店舗でも、複数のレシピ作成情報カードを利用したレシピ情報提供サービスが行われている。
【０００３】
また、店舗を地域ごとに管理するサーバに店舗端末の位置情報を含む商品情報を登録し、利用者の位置情報に基づいて店舗および商品情報を利用者に提供することで、利用者が時間をかけることなく、複数の商品を最も安い価格で購入できるようにした方法がある（特許文献１）。
また、レシピ作成手順を順番に表示しながら音声で説明することで、料理の作成手順を動画で見たり音声で聞いたりしながら、料理を作ることができる端末機器がある（非特許文献１）。
【特許文献１】特開２００５−２５０５８６号公報
【非特許文献１】ｈｔｔｐ：／／ｗｗｗ．ｎｉｎｔｅｎｎｄｏ．ｃｏ．ｊｐ／ｄｓ／ａ４ｖｊ／ｉｎｄｅｘ．ｈｔｍｌ
【発明の開示】
【発明が解決しようとする課題】
【０００４】
しかしながら、従来のレシピ情報提供方法では、その日の料理のメニューを自分で考えてから、その料理のレシピを自分で検索し、そのレシピに使う食材を売っている店舗を自分で探し出す必要があることから、料理の作成にとりかかれるようになるまでに手間がかかるという問題があった。
そこで、本発明の目的は、ユーザが容易に入手することが可能な特売食材品を用いたレシピ情報を自動的に検索して提供することが可能なレシピ情報提供装置、レシピ情報提供システム、レシピ情報提供方法およびレシピ情報提供プログラムを提供することである。
【課題を解決するための手段】
【０００５】
上述した課題を解決するために、請求項１記載のレシピ情報提供装置によれば、所定の地域エリアの店舗で扱われている特売食材品の情報を取得する特売食材品情報取得手段と、前記特売食材品を使用した料理のレシピ情報を取得するレシピ情報取得手段と、前記特売食材品を扱う店舗の情報とともに前記特売食材品を使用した料理のレシピ情報を通知するレシピ情報通知手段とを備えることを特徴とする。
【０００６】
また、請求項２記載のレシピ情報提供システムによれば、ネットワークを介して通信を行うユーザ端末と、所定の地域エリアの店舗で扱われている特売食材品の情報を管理する商品情報管理サーバと、食材品が組み合わされた料理のレシピ情報を提供するレシピ作成情報提供サーバと、前記特売食材品を扱う店舗の情報を前記商品情報管理サーバから取得するとともに、前記特売食材品を使用した料理のレシピ情報を前記レシピ作成情報提供サーバから取得し、前記特売食材品を扱う店舗の情報とともに前記特売食材品を使用した料理のレシピ情報を前記ユーザ端末に通知するネットワークサービスプラットフォームとを備えることを特徴とする。
【０００７】
また、請求項３記載のレシピ情報提供システムによれば、ネットワークを介して通信を行うユーザ端末と、所定の地域エリアの店舗で扱われている特売食材品の情報を管理する商品情報管理サーバと、食材品が組み合わされた料理のレシピ情報を提供するレシピ作成情報提供サーバと、レシピ情報提供要求および前記レシピ情報の通知日時が登録されたカレンダーサーバと、前記カレンダーサーバに登録された前記レシピ情報提供要求に対する通知日時になると、前記特売食材品を扱う店舗の情報を前記商品情報管理サーバから取得するとともに、前記特売食材品を使用した料理のレシピ情報を前記レシピ作成情報提供サーバから取得し、前記特売食材品を扱う店舗の情報とともに前記特売食材品を使用した料理のレシピ情報を前記ユーザ端末に通知するネットワークサービスプラットフォームとを備えることを特徴とする。
【０００８】
また、請求項４記載のレシピ情報提供システムによれば、前記ネットワークサービスプラットフォームは、前記レシピ情報の提供に関するサービスシナリオを格納するサービスシナリオ記憶部と、前記レシピ情報の提供に関するサービスコンポーネントを格納するサービスコンポーネント記憶部と、レシピ情報提供要求に関するプレゼンス情報を検知するプレゼンス検知サーバと、前記プレゼンス情報に検知に基づいて、前記サービスシナリオ記憶部に格納されているサービスシナリオを実行するとともに、前記サービスシナリオに組み込まれているサービスコンポーネントを前記サービスコンポーネント記憶部から検索するサービス合成部と、前記サービス合成部にて検索されたサービスコンポーネントの出力データを呼び出し先で処理可能な形式に変換するデータ変換サーバとを備えることを特徴とする。
【０００９】
また、請求項５記載のレシピ情報提供システムによれば、前記サービスコンポーネントは、前記特売食材品の情報の提供サービスに関するサービスコンポーネントと、前記レシピ情報の提供サービスに関するサービスコンポーネントと、前記プレゼンス情報の検知に関するサービスコンポーネントと、電話サービスに関するサービスコンポーネントと、Ｗｅｂカレンダーの取得サービスに関するサービスコンポーネントと、前記Ｗｅｂカレンダー上でのカレンダーリマインダに関するサービスコンポーネントとを含むことを特徴とする。
【００１０】
また、請求項６記載のレシピ情報提供システムによれば、前記商品情報管理サーバは、前記地域エリアの複数の店舗の情報と、各店舗で扱われている特売商品の価格情報と、前記特売商品の商品名と、前記特売商品の生産地名とを管理し、特売食材品の価格情報と前記特売食材品を扱っている店舗を特定する情報とを前記データ変換サーバに通知することを特徴とする。
また、請求項７記載のレシピ情報提供システムによれば、前記レシピ作成情報提供サーバは、前記特売食材品の情報を受信し、前記特売食材品を使用した料理のレシピ情報を取得し、前記料理の作成に関する方法を示したレシピ情報を前記データ変換サーバに通知することを特徴とする。
【００１１】
また、請求項８記載のレシピ情報提供方法によれば、特売食材品を扱う店舗の情報をネットワークサービスプラットフォーム上で商品情報管理サーバから取得するステップと、
前記特売食材品を使用した料理のレシピ情報をネットワークサービスプラットフォーム上でレシピ作成情報提供サーバから取得するステップと、前記特売食材品を扱う店舗の情報とともに前記特売食材品を使用した料理のレシピ情報を前記ネットワークサービスプラットフォームからユーザ端末に通知するステップとを備えることを特徴とする。
【００１２】
また、請求項９記載のレシピ情報提供方法によれば、レシピ情報提供要求およびレシピ情報の通知日時をカレンダーサーバに登録するステップと、前記カレンダーサーバに登録された通知日時になると、特売食材品を扱う店舗の情報をネットワークサービスプラットフォーム上で商品情報管理サーバから取得するステップと、前記特売食材品を使用した料理のレシピ情報をネットワークサービスプラットフォーム上でレシピ作成情報提供サーバから取得するステップと、前記特売食材品を扱う店舗の情報とともに前記特売食材品を使用した料理のレシピ情報を前記ネットワークサービスプラットフォームからユーザ端末に通知するステップとを備えることを特徴とする。
また、請求項１０記載のレシピ情報提供プログラムによれば、請求項８または９のレシピ情報提供方法をコンピュータに実行させることを特徴とする。
【発明の効果】
【００１３】
以上説明したように、本発明によれば、特売食材品を扱う店舗の情報とともに、その特売食材品を使用した料理のレシピ情報をユーザに通知することで、ユーザが容易に入手することが可能な特売食材品を用いたレシピ情報を提供することが可能となる。このため、ユーザがその日の料理のメニューを自分で考えることなく、その日の料理のレシピを取得することが可能となるとともに、そのレシピに使う食材を売っている店舗を自分で探し出す必要がなくなることから、料理の作成にとりかかれるようになるまでの手間を軽減することが可能となる。
【発明を実施するための最良の形態】
【００１４】
以下、本発明の実施形態に係るレシピ情報提供装置について図面を参照しながら説明する。
図１は、本発明の一実施形態に係るレシピ情報提供システムの概略構成を示すブロック図である。
図１において、レシピ情報提供システムには、ユーザが容易に入手することが可能な特売食材品を用いたレシピ情報を提供するネットワークサービスプラットフォーム１が設けられ、ネットワークサービスプラットフォーム１には、サービスシナリオデータベース５、サービスシナリオデータベース５、サービスコンポーネントデータベース６、プレゼンス検知サーバ２、サービス合成部３、データ変換サーバ４が設けられている。ここで、サービスシナリオデータベース５は、レシピ情報の提供に関するサービスシナリオを格納することができる。サービスコンポーネントデータベース６は、レシピ情報の提供に関するサービスコンポーネントを格納することができる。プレゼンス検知サーバ２は、レシピ情報提供要求に関するプレゼンス情報を検知することができる。サービス合成部３は、プレゼンス検知サーバ２によるプレゼンス情報の検知結果に基づいて、サービスシナリオデータベース５に格納されているサービスシナリオを実行するとともに、そのサービスシナリオに組み込まれているサービスコンポーネントをサービスコンポーネントデータベース６から検索することができる。データ変換サーバ４は、サービス合成部３にて検索されたサービスコンポーネントの出力データを呼び出し先で処理可能な形式に変換することができる。
【００１５】
また、インターネットなどのネットワーク１３上には、地域エリア８の各店舗８ａ、８ｂで扱われている特売食材品の情報を管理する商品情報管理サーバ７、レシピ情報提供サービスを利用するためのユーザＩＤまたは各機器アドレスなどを登録するサービス登録データベース１１、レシピ情報提供要求およびレシピ情報の通知日時をＷｅｂカレンダーに登録するカレンダーサーバ１０、レシピ情報を提供するためのテキストデータを音声データに変換する音声合成・ＳＩＰサーバ１２が設けられている。
【００１６】
また、レシピサービス提供事業者１４には、食材品を含む料理のレシピ情報を提供するレシピ作成情報提供サーバ１５が保有され、レシピ作成情報提供サーバ１５には、レシピ情報データベース１６に接続されている。なお、レシピ情報データベース１６には、食材品ごとに整理された複数のレシピ作成情報を格納することができる。
また、ユーザ宅２４には、ホームネットワーク２５が構築され、ホームネットワーク２５上には、携帯電話１７や情報端末１８などのユーザ端末１９、電話２１、人感知センサ２２、ホームゲートウェイ２０が設けられるとともに、センサネットワーク２３が形成されている。そして、ユーザ端末１９、電話２１、人感知センサ２２はホームゲートウェイ２０に接続されるとともに、人感知センサ２２はセンサネットワーク２３を介してホームゲートウェイ２０に接続されている。
【００１７】
そして、プレゼンス検知サーバ２はネットワーク１３を介してホームゲートウェイ２０に接続され、音声合成・ＳＩＰサーバ１２はネットワーク１３を介して電話２１に接続され、サービス合成部３はネットワーク１３を介してサービス登録データベース１１に接続され、データ変換サーバ４はネットワーク１３を介して商品情報管理サーバ７、カレンダーサーバ１０、レシピ作成情報提供サーバ１５、音声合成・ＳＩＰサーバ１２に接続され、ユーザ端末１９はカレンダーサーバ１０、データ変換サーバ４に接続されている。
そして、ネットワークサービスプラットフォーム１は、ユーザ端末１９からのレシピ情報提供要求またはカレンダーサーバ１０に登録された指定日時のレシピ情報提供要求に基づいて、レシピ情報提供動作を行うことができる。
【００１８】
ユーザ端末１９からのレシピ情報提供要求に基づいて、ネットワークサービスプラットフォーム１がレシピ情報提供動作を行う場合、ユーザは、ユーザ端末１９または電話２１を用いてネットワークサービスプラットフォーム１にアクセスし、レシピ情報提供要求を行う。そして、ユーザ端末１９または電話２１にてレシピ情報提供要求が行われると、ホームネットワーク２５のホームゲートウェイ２０を経由し、さらにネットワーク１３を介してプレゼンス検知サーバ２に通知される。そして、プレゼンス検知サーバ２は、レシピ情報提供要求の通知を受け取ると、ユーザ端末１９または電話２１の位置情報を取得し、ユーザ端末１９または電話２１の位置情報をサービス合成部３に通知するとともに、レシピ情報提供サービスシナリオの実行をサービス合成部３に指示する。
【００１９】
そして、サービス合成部３は、レシピ情報提供サービスシナリオの実行を指示されると、サービスシナリオデータベース５に格納されているユーザ端末１９によるレシピ情報提供サービスシナリオを検索して取得し、レシピ情報提供サービスシナリオを起動する。また、そのレシピ情報提供サービスシナリオに組み込まれているサービスコンポーネントをサービスコンポーネントデータベース６から検索し、これらのサービスコンポーネントの入出力情報をデータ変換サーバ４に送信する。
【００２０】
図２は、本発明の一実施形態に係るレシピ情報提供サービスシナリオの一例を示す図である。
図２において、ユーザ端末１９によるレシピ情報提供サービスシナリオには、特売食材品の情報の提供サービスに関するサービスコンポーネントＰ１、レシピ情報の提供サービスに関するサービスコンポーネントＰ２、プレゼンス情報の検知に関するサービスコンポーネントＰ３、電話サービスに関するサービスコンポーネントＰ４を組み込むことができる。
【００２１】
ここで、サービスコンポーネントＰ１には、地域エリア９の店舗サービスコンポーネントＰ１１、地域エリア９の商品情報管理サーバ７のサービスコンポーネントＰ１２、地図表示サービスコンポーネントＰ１３、特売食材品の価格情報のサービスコンポーネントＰ１４を含むことができる。サービスコンポーネントＰ２には、レシピ作成情報提供サーバ１５のサービスコンポーネントＰ１５、レシピ情報データベース１６のサービスコンポーネントＰ１６を含むことができる。サービスコンポーネントＰ３には、人感知センサ２２のサービスコンポーネントＰ１７を含むことができる。サービスコンポーネントＰ４には、音声合成・ＳＩＰサーバ１２のサービスコンポーネントＰ１８、電話２１のサービスコンポーネントＰ１９を含むことができる。
【００２２】
そして、図１において、データ変換サーバ４は、サービスコンポーネントの入出力情報を受け取ると、そのサービスコンポーネントが出力する出力データの形式を、呼び出し先のサービスコンポーネントが入力し処理可能な形式に変換し、商品情報管理サーバ７に送信する。
例えば、図２の特売食材品の情報の提供サービスに関するサービスコンポーネントＰ１が出力する出力データの形式が、「東京都武蔵野市緑町」のような住所であったとき、商品情報管理サーバ７が入力として郵便番号を受け付けるならば、データ変換サーバ４は、住所「東京都武蔵野市緑町」を郵便番号「１８０−００１２」に変換し、地域エリア９の商品情報管理サーバ７に送信する。
【００２３】
ここで、商品情報管理サーバ７では、地域エリア９の複数の店舗８ａ、８ｂの端末と連携しながら、地域エリア９の複数の店舗８ａ、８ｂの住所や電話番号などの情報と、各店舗８ａ、８ｂで扱われている特売食材品の価格情報と、特売食材品の商品名と、特売食材品の生産地名とが管理される。そして、商品情報管理サーバ７は、特売食材品の情報の提供サービスに関するサービスコンポーネントＰ１のサービスシナリオをデータ変換サーバ４から受信すると、地域エリア９の各店舗８ａ、８ｂの当日の特売食材品の価格情報を検索し、野菜や食肉や魚などの特売食材品の名称およびその価格情報と、その特売食材品を扱っている店舗８ａ、８ｂを特定する情報とをデータ変換サーバ４に通知する。
【００２４】
そして、データ変換サーバ４は、特売食材品の名称およびその価格情報と、その特売食材品を扱っている店舗８ａ、８ｂを特定する情報を受信すると、それらの情報からユーザ宅２４の近くにある店舗８ａ、８ｂと最安値の特売食材品を選択し、レシピの作成に使用される食材品を決定し、その食材品の名称をレシピ作成情報提供サーバ１５に送信する。
ここで、データ変換サーバ４は、例えば、最安値の特売食材品として「長ネギ」を選択した場合、レシピ作成情報提供サーバ１５が「長ネギ」と「万能ネギ」とを区別することなく、単に「ネギ」として入力を受け付けるならば、「長ネギ」を「ネギ」に変換してからレシピ作成情報提供サーバ１５に送信することができる。
【００２５】
なお、レシピ情報が送られる前に、地域エリア９の複数の店舗８ａ、８ｂの最安値の特売食材品をユーザが把握できるようにするために、データ変換サーバ４は、レシピの作成に使用される食材品を決定すると、その食材品の名称と価格情報とを音声合成・ＳＩＰサーバ１２を経由させて、ユーザ宅２４の電話２１またはユーザ端末１９に送信するようにしてもよい。
そして、レシピ作成情報提供サーバ１５は、食材品の名称をデータ変換サーバ４から受け取ると、「ネギ」などの特売食材品が組み合わされた数種類の画像を含む複数のレシピ作成情報をレシピ情報データベース１６から検索し、「ネギ」などの特売食材品が組み合わされた数種類の文章化した手順にまとめられたレシピ情報を作成して、データ変換サーバ４に通知する。
【００２６】
そして、データ変換サーバ４は、「ネギ」などの特売食材品が組み合わされた数種類の文章化した手順にまとめられたレシピ情報をレシピ作成情報提供サーバ１５から受信すると、そのレシピ情報を一時的に保持する。
そして、レシピ情報が必要な時刻にユーザが人感知センサ２２に接近すると、人感知センサ２２はユーザ宅２４の台所や居間などの位置情報を取得し、その位置情報がホームネットワーク２５のホームゲートウェイ２０を経由し、さらにネットワーク１３を介してプレゼンス検知サーバ２に通知される。
そして、プレゼンス検知サーバ２は、ユーザ宅２４の台所や居間などの位置情報を受け取ると、その位置情報をサービス合成部３に通知し、サービス合成部３はその位置情報をデータ変換サーバ４に通知する。
【００２７】
そして、データ変換サーバ４は、ユーザ宅２４の台所や居間などの位置情報を受け取ると、その位置情報に対応した電話２１のＩＤまたはユーザ端末１９のＩＤを取得する。そして、データ変換サーバ４は、音声合成・ＳＩＰサーバ１２を介して、「ネギ」などの特売食材品を扱っている各店舗８ａ、８ｂの名称や、「ネギ」などの特売食材品が組み合わされた文章化した手順にまとめられたレシピ情報を音声で携帯電話１７に送信させる。あるいは、データ変換サーバ４は、「ネギ」などの特売食材品を扱っている各店舗８ａ、８ｂの名称や、「ネギ」などの特売食材品が組み合わされた数種類の文章化した手順にまとめられたレシピ情報を携帯電話１７などのユーザ端末１９に送信する。
【００２８】
そして、ユーザは、「ネギ」などの特売食材品を扱っている各店舗８ａ、８ｂの名称や、「ネギ」などの特売食材品が組み合わされた数種類の文章化した手順にまとめられたレシピ情報が送られると、そこで指定されている店舗８ａ、８ｂで「ネギ」などの特売食材品を購入し、ネットワークサービスプラットフォーム１から送られたレシピ情報を参考にすることで、「ネギ」などの特売食材品を用いて料理することができる。
【００２９】
図３は、図２のレシピ情報提供サービスシナリオを実行するレシピ情報提供シーケンスを示す図である。
図３において、ユーザは、ユーザ端末１９または電話２１を用いてサービス登録データベース１１にアクセスし、レシピ情報提供サービスを利用するためのユーザＩＤまたは電話２１などのＩＤ情報を登録する（ステップＳ１）。そして、ユーザがユーザ端末１９または電話２１を用いてネットワークサービスプラットフォーム１にアクセスし、レシピ情報提供要求を行うと、ホームネットワーク２５のホームゲートウェイ２０を経由し、さらにネットワーク１３を介してプレゼンス検知サーバ２に通知される（ステップＳ２）。そして、プレゼンス検知サーバ２は、ユーザ端末１９または電話２１の位置情報を取得し、その位置情報をサービス合成部３に通知するとともに、レシピ情報提供サービスシナリオの実行をサービス合成部３に指示する（ステップＳ３）。
【００３０】
そして、サービス合成部３は、サービスシナリオデータベース５に格納されているユーザ端末１９によるレシピ情報提供サービスシナリオを検索して取得し（ステップＳ４）、レシピ情報提供サービスシナリオを起動する（ステップＳ５）。また、そのレシピ情報提供サービスシナリオに組み込まれているサービスコンポーネントＰ１〜Ｐ４をサービスコンポーネントデータベース６から検索し（ステップＳ６）、これらのサービスコンポーネントＰ１〜Ｐ４の入出力情報をデータ変換サーバ４に送信する（ステップＳ７）。
【００３１】
そして、データ変換サーバ４は、サービスコンポーネントＰ１が出力する出力データの形式を、商品情報管理サーバ７が入力し処理可能な形式に変換し（ステップＳ８）、商品情報管理サーバ７に送信することで、地域エリア９の複数の店舗８ａ、８ｂの特売食材品の価格情報を要求する（ステップＳ１０）。ここで、商品情報管理サーバ７では、地域エリア９の複数の店舗８ａ、８ｂの端末と連携しながら、地域エリア９の複数の店舗８ａ、８ｂの住所や電話番号などの情報と、各店舗８ａ、８ｂで扱われている特売食材品の価格情報と、特売食材品の商品名と、特売食材品の生産地名とが管理される（ステップＳ９）。
【００３２】
そして、商品情報管理サーバ７は、地域エリア９の各店舗８ａ、８ｂの当日の特売食材品の価格情報を検索し、野菜や食肉や魚などの特売食材品の名称およびその価格情報と、その特売食材品を扱っている店舗８ａ、８ｂを特定する情報とをデータ変換サーバ４に通知する（ステップＳ１１）。
そして、データ変換サーバ４は、特売食材品の名称およびその価格情報と、その特売食材品を扱っている店舗８ａ、８ｂを特定する情報から、ユーザ宅２４の近くにある店舗８ａ、８ｂと最安値の特売食材品を選択し、サービスコンポーネントＰ２の単一用語の出力データを、レシピ作成情報提供サーバ１５が入力し処理可能な形式に変換してから、レシピ作成情報提供サーバ１５に送信する（ステップＳ１２）。
そして、レシピ作成情報提供サーバ１５は、特売食材品が組み合わされた数種類の画像を含む複数のレシピ作成情報をレシピ情報データベース１６から検索し、指定された特売食材品が組み合わされた数種類の文章化した手順にまとめられたレシピ情報を作成して（ステップＳ１３）、データ変換サーバ４に通知する（ステップＳ１４）。
【００３３】
そして、データ変換サーバ４は、特売食材品が組み合わされた数種類の画像を含む複数のレシピ情報をレシピ作成情報提供サーバ１５から受信すると、そのレシピ情報を一時的に保持する。そして、データ変換サーバ４は、プレゼンス検知サーバ２からユーザ宅２４の電話２１のＩＤまたはユーザ端末１９のＩＤを取得し、ユーザ宅２４の台所や居間などの位置情報を確認すると、音声合成・ＳＩＰサーバ１２を介して、特売食材品を扱っている各店舗８ａ、８ｂの名称や、特売食材品が組み合わされた文章化した手順にまとめられたレシピ情報を音声で送信させたり、特売食材品を扱っている各店舗８ａ、８ｂの名称や、売食材品が組み合わされた数種類の文章化した手順にまとめられたレシピ情報を携帯電話１７などのユーザ端末１９に送信したりする（ステップＳ１６）。
【００３４】
一方、図１において、カレンダーサーバ１０に登録された指定日時のレシピ情報提供要求に基づいて、ネットワークサービスプラットフォーム１がレシピ情報提供動作を行う場合、ユーザは、ユーザ端末１９または電話２１を用いることで、ネットワーク１３を介してカレンダーサーバ１０にアクセスし、Ｗｅｂカレンダーをカレンダーサーバ１０から取得する。そして、レシピ情報提供要求およびレシピ情報の通知日時をＷｅｂカレンダーに記入し、カレンダーサーバ１０に登録する。例えば、レシピ情報提供要求には、「特売食材品レシピ情報」などのイベント名を記入することができ、レシピ情報の通知日時としては、例えば、「時刻＝１９：００」と記入することができる。
【００３５】
そして、ユーザは、ユーザ端末１９または電話２１を用いることで、ネットワークサービスプラットフォーム１にアクセスし、カレンダーサーバ１０に登録されたレシピ情報提供要求を行うと、そのレシピ情報提供要求がホームネットワーク２５のホームゲートウェイ２０を経由し、さらにネットワーク１３を介してプレゼンス検知サーバ２に通知される。そして、プレゼンス検知サーバ２は、カレンダーサーバ１０に登録されたレシピ情報提供要求の通知を受け取ると、そのレシピ情報提供サービスシナリオの実行をサービス合成部３に指示する。
【００３６】
そして、サービス合成部３は、カレンダーサーバ１０に登録されたレシピ情報提供要求によるレシピ情報提供サービスシナリオの実行を指示されると、サービスシナリオデータベース５に格納されているカレンダーサーバ１０によるレシピ情報提供サービスシナリオを検索して取得し、レシピ情報提供サービスシナリオを起動する。また、サービス合成部３は、そのレシピ情報提供サービスシナリオに組み込まれているサービスコンポーネントおよび時刻待機命令をサービスコンポーネントデータベース６から検索する。
【００３７】
図４は、本発明の一実施形態に係るレシピ情報提供サービスシナリオのその他の例を示す図である。
図４において、カレンダーサーバ１０によるレシピ情報提供サービスシナリオには、Ｗｅｂカレンダーの取得サービスに関するサービスコンポーネントＰ５、Ｗｅｂカレンダー上でのカレンダーリマインダに関するサービスコンポーネントＰ６、時刻待機命令Ｐ７、特売食材品の情報の提供サービスに関するサービスコンポーネントＰ１、レシピ情報の提供サービスに関するサービスコンポーネントＰ２、プレゼンス情報の検知に関するサービスコンポーネントＰ２、電話サービスに関するサービスコンポーネントＰ４を組み込むことができる。
【００３８】
ここで、サービスコンポーネントＰ５は、ユーザがユーザ端末１９を用いてカレンダーサーバ１０にアクセスすることで、Ｗｅｂカレンダーを取得させることができる。サービスコンポーネントＰ６は、レシピ情報提供要求およびレシピ情報の通知日時がＷｅｂカレンダーに記入されると、そのレシピ情報提供要求およびレシピ情報の通知日時をカレンダーサーバ１０に記憶させることができ、サービスコンポーネントＰ６には、カレンダーサーバ１０のサービスコンポーネントＰ１２を含むことができる。時刻待機命令Ｐ７は、サービス合成部３からカレンダーサーバ１０が呼び出されると、サービスコンポーネントＰ６の出力からレシピ情報提供要求およびレシピ情報の通知日時を読み出し、その通知日時になるまでサービスシナリオの実行を待機させることができる。
【００３９】
サービスコンポーネントＰ１には、地域エリア９の店舗サービスコンポーネントＰ１１、地域エリア９の商品情報管理サーバ７のサービスコンポーネントＰ１２、地図表示サービスコンポーネントＰ１３、特売食材品の価格情報のサービスコンポーネントＰ１４を含むことができる。サービスコンポーネントＰ２には、レシピ作成情報提供サーバ１５のサービスコンポーネントＰ１５、レシピ情報データベース１６のサービスコンポーネントＰ１６を含むことができる。サービスコンポーネントＰ３には、人感知センサ２２のサービスコンポーネントＰ１７を含むことができる。サービスコンポーネントＰ４には、音声合成・ＳＩＰサーバ１２のサービスコンポーネントＰ１８、電話２１のサービスコンポーネントＰ１９を含むことができる。
【００４０】
そして、図１において、サービス合成部３は、図４のサービスコンポーネントＰ６を取得すると、カレンダーサーバ１０を呼び出し、レシピ情報提供要求としてイベント名「特売食材品レシピ情報」、通知日時として「時刻＝１９：００」というデータをＷｅｂカレンダーから読み出す。
なお、ＩＦ（イベント名！＝「特売食材品レシピ情報」）ＴＨＥＮ（サービスシナリオ中止）とサービスシナリオに記載され、サービスコンポーネントＰ６の出力からイベント名として「特売食材品レシピ情報」という値を得ることができない場合は、サービスシナリオの実行を中止することができる。例えば、「時刻＝１９：００」、イベント名「会議」などの「特売食材品レシピ情報」の読み上げとは無関係の情報がカレンダーサーバ１０に登録されている場合、サービスシナリオの実行を中止する。
【００４１】
そして、サービス合成部３は、通知日時として「時刻＝１９：００」というデータをサービスコンポーネントＰ６から取得すると、時刻待機命令Ｐ７を実行する。ここで、時刻待機命令Ｐ７には、サービスシナリオの実行を一時停止させて待機させるｗａｉｔ文が記載され、その引数には、サービスコンポーネントＰ６から出力される「時刻＝１９：００」というデータが割り当てられる。このため、サービス合成部３は、時刻待機命令Ｐ７を実行すると、サービスシナリオの実行を時刻＝１９：００になるまで待機させる。
【００４２】
そして、時刻＝１９：００の近辺でユーザが人感知センサ２２に接近すると、人感知センサ２２はユーザ宅２４の台所や居間などの位置情報を取得し、その位置情報がホームネットワーク２５のホームゲートウェイ２０を経由し、さらにネットワーク１３を介してプレゼンス検知サーバ２に通知される。
そして、プレゼンス検知サーバ２は、ユーザ宅２４の台所や居間などの位置情報を受け取ると、その位置情報をサービス合成部３に通知する。そして、サービス合成部３は、時刻＝１９：００になると、レシピ情報提供サービスシナリオの実行を再開し、図４のサービスコンポーネントＰ１〜Ｐ４を順次実行し、これらのサービスコンポーネントＰ１〜Ｐ４の入出力情報をデータ変換サーバ４に送信する。
【００４３】
そして、データ変換サーバ４は、サービスコンポーネントの入出力情報を受け取ると、そのサービスコンポーネントの単一用語の出力データを、商品情報管理サーバ７が入力し処理可能な形式に変換し、商品情報管理サーバ７に送信する。
そして、商品情報管理サーバ７は、特売食材品の情報の提供サービスに関するサービスコンポーネントＰ１のサービスシナリオをデータ変換サーバ４から受信すると、地域エリア９の各店舗８ａ、８ｂの当日の特売食材品の価格情報を検索し、野菜や食肉や魚などの特売食材品の名称およびその価格情報と、その特売食材品を扱っている店舗８ａ、８ｂを特定する情報とをデータ変換サーバ４に通知する。
【００４４】
そして、データ変換サーバ４は、特売食材品の名称およびその価格情報と、その特売食材品を扱っている店舗８ａ、８ｂを特定する情報を受信すると、それらの情報からユーザ宅２４の近くにある店舗８ａ、８ｂと最安値の特売食材品を選択し、レシピの作成に使用される食材品を決定し、その食材品の名称をレシピ作成情報提供サーバ１５に送信する。
そして、レシピ作成情報提供サーバ１５は、食材品の名称をデータ変換サーバ４から受け取ると、特売食材品が組み合わされた数種類の画像を含む複数のレシピ作成情報をレシピ情報データベース１６から検索し、特売食材品が組み合わされた数種類の文章化した手順にまとめられたレシピ情報を作成して、データ変換サーバ４に通知する。
【００４５】
そして、データ変換サーバ４は、ユーザ宅２４の台所や居間などの位置情報をプレゼンス検知サーバ２から取得し、その位置情報に対応した電話２１のＩＤまたはユーザ端末１９のＩＤを取得する。そして、データ変換サーバ４は、音声合成・ＳＩＰサーバ１２を介して、特売食材品を扱っている各店舗８ａ、８ｂの名称や、特売食材品が組み合わされた文章化した手順にまとめられたレシピ情報を時刻＝１９：００に音声で送信させる。あるいは、データ変換サーバ４は、特売食材品を扱っている各店舗８ａ、８ｂの名称や、特売食材品が組み合わされた数種類の文章化した手順にまとめられたレシピ情報を携帯電話１７などのユーザ端末１９に時刻＝１９：００に送信する。
【００４６】
そして、ユーザは、「特売食材品を扱っている各店舗８ａ、８ｂの名称や、特売食材品が組み合わされた数種類の画像を含む複数のレシピ情報が時刻＝１９：００に送られると、そこで指定されている店舗８ａ、８ｂで特売食材品を購入し、ネットワークサービスプラットフォーム１から送られたレシピ情報を参考にすることで、特売食材品を用いて料理することができる。
【００４７】
図５および図６は、図４のレシピ情報提供サービスシナリオを実行するレシピ情報提供シーケンスを示す図である。
図５において、ユーザは、ユーザ端末１９または電話２１を用いてサービス登録データベース１１にアクセスし、レシピ情報提供サービスを利用するためのユーザＩＤまたは電話２１などのＩＤ情報を登録する（ステップＳ２１）。そして、ユーザ端末１９または電話２１を用いることで、ネットワーク１３を介してカレンダーサーバ１０にアクセスし、Ｗｅｂカレンダーをカレンダーサーバ１０から取得する。そして、レシピ情報提供要求およびレシピ情報の通知日時をＷｅｂカレンダーに記入し、カレンダーサーバ１０に登録する（ステップＳ２２）。例えば、レシピ情報提供要求には、「特売食材品レシピ情報」などのイベント名を記入することができ、レシピ情報の通知日時としては、例えば、「時刻＝１９：００」と記入することができる。
【００４８】
そして、ユーザは、ユーザ端末１９または電話２１を用いることで、ネットワークサービスプラットフォーム１にアクセスし、カレンダーサーバ１０に登録されたレシピ情報提供要求を行うと、そのレシピ情報提供要求がホームネットワーク２５のホームゲートウェイ２０を経由し、さらにネットワーク１３を介してプレゼンス検知サーバ２に通知される（ステップＳ２３）。そして、プレゼンス検知サーバ２は、カレンダーサーバ１０に登録されたレシピ情報提供要求の通知を受け取ると、そのレシピ情報提供サービスシナリオの実行をサービス合成部３に指示する（ステップＳ２４）。
【００４９】
そして、サービス合成部３は、サービスシナリオデータベース５に格納されているカレンダーサーバ１０によるレシピ情報提供サービスシナリオを検索して取得し（ステップＳ２５）、レシピ情報提供サービスシナリオを起動する（ステップＳ２６）。また、サービス合成部３は、そのレシピ情報提供サービスシナリオに組み込まれているサービスコンポーネントＰ１〜Ｐ４、Ｐ６および時刻待機命令Ｐ７をサービスコンポーネントデータベース６から検索する（ステップＳ２７）。
そして、サービス合成部３は、図４のサービスコンポーネントＰ６を取得すると、カレンダーサーバ１０を呼び出し（ステップＳ２８）、レシピ情報提供要求としてイベント名「特売食材品レシピ情報」、通知日時として「時刻＝１９：００」というデータをＷｅｂカレンダーから読み出すことで（ステップＳ２９）、サービスシナリオの実行を時刻＝１９：００になるまで待機させる（ステップＳ３０）。
【００５０】
そして、時刻＝１９：００の近辺でユーザが人感知センサ２２に接近すると、人感知センサ２２はユーザ宅２４の台所や居間などの位置情報を取得し、その位置情報がホームネットワーク２５のホームゲートウェイ２０を経由し、さらにネットワーク１３を介してプレゼンス検知サーバ２に通知される（ステップＳ３１）。
そして、プレゼンス検知サーバ２は、ユーザ宅２４の台所や居間などの位置情報を受け取ると、その位置情報をサービス合成部３に通知する。そして、サービス合成部３は、時刻＝１９：００になると、レシピ情報提供サービスシナリオの実行を再開し（ステップＳ３２）、図４のサービスコンポーネントＰ１〜Ｐ４を順次実行し、これらのサービスコンポーネントＰ１〜Ｐ４の入出力情報をデータ変換サーバ４に送信する（ステップＳ３３）。
【００５１】
そして、データ変換サーバ４は、サービスコンポーネントの入出力情報を受け取ると、そのサービスコンポーネントの単一用語の出力データを、商品情報管理サーバ７が入力し処理可能な形式に変換し（ステップＳ３４）、商品情報管理サーバ７に送信することで、地域エリア９の複数の店舗８ａ、８ｂの特売食材品の価格情報を要求する（ステップＳ３６）。
ここで、商品情報管理サーバ７では、地域エリア９の複数の店舗８ａ、８ｂの端末と連携しながら、地域エリア９の複数の店舗８ａ、８ｂの住所や電話番号などの情報と、各店舗８ａ、８ｂで扱われている特売食材品の価格情報と、特売食材品の商品名と、特売食材品の生産地名とが管理される（ステップＳ３５）。
【００５２】
そして、商品情報管理サーバ７は、特売食材品の情報の提供サービスに関するサービスコンポーネントＰ１のサービスシナリオをデータ変換サーバ４から受信すると、地域エリア９の各店舗８ａ、８ｂの当日の特売食材品の価格情報を検索し、野菜や食肉や魚などの特売食材品の名称およびその価格情報と、その特売食材品を扱っている店舗８ａ、８ｂを特定する情報とをデータ変換サーバ４に通知する（ステップＳ３７）。
【００５３】
そして、データ変換サーバ４は、特売食材品の名称およびその価格情報と、その特売食材品を扱っている店舗８ａ、８ｂを特定する情報を受信すると、それらの情報からユーザ宅２４の近くにある店舗８ａ、８ｂと最安値の特売食材品を選択し、レシピの作成に使用される食材品を決定し、その食材品の名称をレシピ作成情報提供サーバ１５に送信する（ステップＳ３８）。
【００５４】
そして、レシピ作成情報提供サーバ１５は、食材品の名称をデータ変換サーバ４から受け取ると、特売食材品が組み合わされた数種類の画像を含む複数のレシピ作成情報をレシピ情報データベース１６から検索し（ステップＳ３９）、特売食材品が組み合わされた数種類の文章化した手順にまとめられたレシピ情報を作成して（ステップＳ４０）、データ変換サーバ４に通知する（ステップＳ４１）。
【００５５】
そして、データ変換サーバ４は、ユーザ宅２４の台所や居間などの位置情報をプレゼンス検知サーバ２から取得し、その位置情報に対応した電話２１のＩＤまたはユーザ端末１９のＩＤを取得する（ステップＳ４２）。そして、データ変換サーバ４は、音声合成・ＳＩＰサーバ１２を介して、特売食材品を扱っている各店舗８ａ、８ｂの名称や、特売食材品が組み合わされた文章化した手順にまとめられたレシピ情報を時刻＝１９：００に音声で送信させたり、特売食材品を扱っている各店舗８ａ、８ｂの名称や、特売食材品が組み合わされた数種類の文章化した手順にまとめられたレシピ情報を携帯電話１７などのユーザ端末１９に時刻＝１９：００に送信したりする（ステップＳ４３）。
【００５６】
これにより、ユーザがその日の料理のメニューを自分で考えることなく、その日の料理のレシピ情報をネットワークサービスプラットフォーム１から取得することが可能となるとともに、そのレシピに使う特売食材品を売っている店舗８ａ、８ｂを自分で探し出す必要がなくなることから、料理の作成にとりかかれるようになるまでの手間を軽減することが可能となる。
なお、プレゼンス検知サーバ２、サービス合成部３、データ変換サーバ４の機能は、プレゼンス検知サーバ２、サービス合成部３、データ変換サーバ４で行われる処理を遂行させる命令が記述されたプログラムをコンピュータに実行させることにより実現することができる。
【００５７】
そして、このプログラムをＣＤ−ＲＯＭなどの記憶媒体に記憶しておけば、ネットワークサービスプラットフォーム１のコンピュータに記憶媒体を装着し、そのプログラムをコンピュータにインストールすることにより、プレゼンス検知サーバ２、サービス合成部３、データ変換サーバ４で行われる処理を実現することができる。
また、プレゼンス検知サーバ２、サービス合成部３、データ変換サーバ４で行われる処理を遂行させる命令が記述されたプログラムをコンピュータに実行させる場合、スタンドアロン型コンピュータで実行させるようにしてもよく、ネットワークに接続された複数のコンピュータに分散処理させるようにしてもよい。
【図面の簡単な説明】
【００５８】
【図１】本発明の一実施形態に係るレシピ情報提供システムの概略構成を示すブロック図である。
【図２】本発明の一実施形態に係るレシピ情報提供サービスシナリオの一例を示す図である。
【図３】図２のレシピ情報提供サービスシナリオを実行するレシピ情報提供シーケンスを示す図である。
【図４】本発明の一実施形態に係るレシピ情報提供サービスシナリオのその他の例を示す図である。
【図５】図４のレシピ情報提供サービスシナリオを実行するレシピ情報提供シーケンスを示す図である。
【図６】図４のレシピ情報提供サービスシナリオを実行するレシピ情報提供シーケンスを示す図である。
【符号の説明】
【００５９】
１  ネットワークサービスプラットフォーム
２  プレゼンス検知サーバ
３  サービス合成部
４  データ変換サーバ
５  サービスシナリオデータベース（記憶部）
６  サービスコンポーネントデータベース（記憶部）
７  商品情報管理サーバ
８ａ、８ｂ  店舗
９  地域エリア
１０  カレンダーサーバ
１１  サービス登録データベース
１２  音声合成・ＳＩＰサーバ
１３  ネットワーク
１４  レシピサービス提供事業者
１５  レシピ作成情報提供サーバ
１６  レシピ情報データベース
１７  携帯電話
１８  情報端末
１９  ユーザ端末
２０  ホームゲートウェイ
２１  電話
２２  人感知センサ
２３  センサネットワーク
２４  ユーザ宅
２５  ホームネットワーク
【図１】
2009087036.tif 000003
【図２】
2009087036.tif 000004
【図３】
2009087036.tif 000005
【図４】
2009087036.tif 000006
【図５】
2009087036.tif 000007
【図６】
2009087036.tif 000008